(57)【要約】      （修正有）【課題】従来の浴槽水浄化装置の欠点である設置の不便さを解消し、一般家庭の浴槽に簡単に取付け・取外しや洗浄が可能であって、また、家庭用洗濯水としても、有用に利用できる浴槽水浄化装置を提供する。【解決手段】側面に浴槽の内面に取り付ける吸盤１１を有し、底面に吸込み口１５と上部で側方に向かって吐出する吐出口７が設けられた外装１０と、外装の内部には上部に電動機付ポンプ室９と下部に濾材収納室１９が設けられたことを特徴とする。【選択図】図１
0003189793.tif 000002
【実用新案登録請求の範囲】
【請求項１】
側面に浴槽の内面に取り付ける吸盤を有し、底面に吸込み口と上部で側方に向かって吐出する吐出口が設けられた外装と、前記外装の内部には上部に電動機付ポンプ室と下部に濾材収納室が設けられた浴槽水浄化装置。
【請求項２】
前記電動機付ポンプ室に設けられる電動機付ポンプは、防水処理が施されると共に家庭用電源の電圧を低電圧に変圧して供給される電動機により駆動されており、前記濾材収納室には前記吸込み口側に開閉自在の蓋を有しており、前記濾材収納室の内部には前記蓋から順に奥の方に向かって、板状のフィルター、網袋に入れられた殺菌効果を有する粒体、が納められている請求項１記載の浴槽水浄化装置。
【考案の詳細な説明】
【技術分野】
【０００１】  本考案は、浴槽内面に簡単に取付け、取外しが可能な浴槽水浄化装置に関する。
【背景技術】
【０００２】  従来から、家庭用風呂等に入浴後の浴槽水を浄化して、浴槽水を濾過したり、細菌を殺菌又は滅菌して増殖を抑制する提案が多くなされている。
例えば、先行技術文献１や先行技術文献２には、浴槽の外部に、濾過層と抗菌性物質層を有する濾過装置に浴槽水を循環させて、浄化する濾過方法が提案されている。
また、先行技術文献３には、浴槽の上部に設置した浴槽水循環装置と、浴槽の上面にヨウ素化合物殺菌樹脂を浮遊させ、浴槽水を循環しながら浄化する方法が提案されている。
しかし、これらの従来から知られている浴槽水浄化装置は、いずれも装置の大きさが大型あることから、近年の樹脂製一体型家庭用浴槽等の狭い場所に簡単に設置することが困難であり、コンパクト性や実用性に欠けるという欠点があった。
また、浴槽水浄化装置自体も、時々、装置や配管内の掃除が必要であるが、この場合にも装置が複雑であることから多大な労力が必要であった。
更に、家庭での洗濯時に浴槽水を洗濯水として利用する場合があるが、この場合にも従来の浴槽水浄化装置では、特別の配管施工が必要になる等の不便さがあった。
【先行技術文献】
【特許文献】
【０００３】
【特許文献１】特開平１０−１９２８６６号公報
【特許文献２】特開平０９−  ３７９７９号公報
【特許文献３】特開平１１−２１６４７７号公報
【考案の概要】
【考案が解決しようとする課題】
【０００４】  本考案が解決しようとする課題は、従来の浴槽水浄化装置の欠点である設置の不便さを解消し、一般家庭の浴槽に簡単に取付け・取外しや洗浄が可能な浴槽水浄化装置を提供することである。
また、家庭用洗濯水としても、有用に利用できる浴槽水浄化装置を提供することである。
【課題を解決するための手段】
【０００５】  本考案の第一の特徴は、側面に浴槽の内面に取り付ける吸盤を有し、底面に吸込み口と上部で側方に向かって吐出する吐出口が設けられた外装と、前記外装の内部には上部に電動機付ポンプ室と下部に濾材収納室が設けられた浴槽水浄化装置である。
本考案の第二の特徴は、前記電動機付ポンプ室に設けられる電動機付ポンプは、防水処理が施されると共に家庭用電源の電圧を低電圧に変圧して供給される電動機により駆動されており、前記濾材収納室には前記吸込み口側に開閉自在の蓋を有しており、前記濾材収納室の内部には前記蓋から順に奥の方に向かって、板状のフィルター、網袋に入れられた殺菌効果を有する粒体、が納められている上記記載の浴槽水浄化装置である。
【考案の効果】
【０００６】  本考案の浴槽水浄化装置は、小型で且つ浴槽内に容易に取付け・取外しが簡単な浴槽水浄化装置が提供される。また、装置自体の洗浄や、内部のフィルターや殺菌用粒体の交換が容易な小型の浴槽水浄化装置が提供される。
【図面の簡単な説明】
【０００７】
【図１】図１は、本考案の浴槽水浄化装置の一例の断面を示す模式図である。
【図２】図２は、本考案の浴槽水浄化装置を浴槽内で使用している様子を示す模式図である。
【図３】図３は、本考案の浴槽水浄化装置を洗濯に利用している様子を示す模式図である。
【考案を実施するための形態】
【０００８】  本考案を、図面を用いて詳細に説明する。
図１は、本考案の浴槽水浄化装置の一例の断面図を示す。
図１において、浴槽水浄化装置１３の外装には、本装置を浴槽の内面に取付ける吸盤１１を有している。浴槽水浄化装置１３の底面には、浴槽水吸込み口１５と、下部に濾材収納室１９が、上部には側方に向かって吐出する吐出口７が取付けられている。
前記浄化装置の内部には、上部に電動機６及び電動機付ポンプ室９と、下部に外装１０が設けられている。
本考案の浴槽水浄化装置１３の形状や大きさは、特に限定されないが、取扱い性やコンパクト性から、直径約５〜１０ｃｍで、長さ約２０〜３０ｃｍの筒状のものが採用される。
本装置を浴槽の内面に取付ける吸盤１１の個数や大きさは特に限定されないが、浴槽の内面に安定して吸付けることが可能であれば良い。簡便には、直径約３〜６ｃｍの円形吸盤を２〜３個設けることが好ましい。
本考案の浴槽水浄化装置１３の材質は、樹脂製や金属製のいずれでも可能であるが、簡便には樹脂製が用いられる。
本考案の浴槽水浄化装置は、上記のように比較的簡単な構造であることから、装置自体を洗浄する際にも、各部分に区別してブラシ等で洗浄できることも特徴の一つである。
【０００９】  本考案の浴槽水浄化装置本体１３では、前記電動機付ポンプ室９に設けられる電動機付ポンプは、防水処理が施されると共に家庭用電源の電圧を低電圧に変圧して電源コード８により供給される電動機６により駆動されており、前記濾材収納室１９には前記吸込み口１５側に開閉自在の蓋１２を有しており、前記濾材収納室１９の内部には前記蓋１２から順に奥の方に向かって、板状のフィルター（２、３、４）がフィルター押え５によって配置され、更に、網袋に入れられた殺菌効果を有する粒体１、が納められていることが好ましい。
家庭用電源の電圧を低電圧に変圧される際の好ましい電圧は、約１２ボルトが電気カミソリ等その他の低電圧家庭用器具との共用性から望ましい。
電動ポンプには、必要に応じて所定時間運転後に自動停止するタイマー機構等が付設されていても良い。
電動機付ポンプの能力は、特に限定されないが、浴槽水の循環や洗濯機用に使用することから約１０〜３０リットル／分であることが好ましい。
浴槽水浄化装置内に設けられる板状フィルターの層数やセルサイズは、浴槽内の浮遊物を除去できるものであれば特に限定されない。図１の例示では、フィルターセルサイズは、蓋１２から順に奥の方に向かって荒目、中目、細目に配置されている。このように、多層であることが、濾過寿命を長くする目的から好ましい。板状フィルターのセルサイズは特に限定されないが、浴槽水中の毛髪や浮遊物を濾過することからセル数約１０〜１００個／２５ｍｍが好ましい。
【００１０】  本考案の浴槽水浄化装置には、前記板状フィルターに続いて、網袋に入れられた殺菌効果を有する粒体が納められていることが好ましい。
殺菌効果を有する粒体としては、ヨウ素ボール（ヨウ素系アニオン交換樹脂ボール）や金属イオンセラミックボール（銀イオンセラミックボール）等の殺菌性粒体であっても良く、麦飯石、活性炭、ゼオライト等の抗菌性粒体であっても良い。また、これらは単体のみでなく、組み合わせて使用することも可能である。
【００１１】  図２には、本考案の浴槽水浄化装置１３を浴槽の内面１４に吸盤１１を利用して取付け、浴槽水を装置に循環させて浄化している様子を示す。
浴槽水浄化装置の浴槽内面への取付け位置は、特に限定されることなく、吐出口７が浴湯内であっても良く、また、浴湯上部へ噴出するようにしても良い。
使用しない場合や、浴槽を清掃する際には簡単に取外して近傍に置くことも可能である。
このように、取付け取外しが容易であることも、本考案の特徴である。
【００１２】  図３には、本考案の浴槽水浄化装置を用いて、浴槽水をホース１６で洗濯機１７へ接続し、洗濯水１８に利用する模式図である。
近年市販されている家庭用洗濯機には、浴槽水を洗濯用に再利用して有用に活用する機能が付加されている。
しかし、浴槽水を洗濯仕上げ水として使用するには、衛生感覚的に抵抗感があることから、洗濯仕上げには水道水に切り替える等の機能が利用されている。
本考案の浴槽水浄化装置を用いれば、浴槽水を浄化できることから、洗濯仕上げ水としても使用可能となり、水道水使用の節約にもつながるという利点がある。
【産業上の利用可能性】
【００１３】  本考案の浴槽水浄化装置を用いれば、浴槽水の節水や洗濯用水の節約にも効果的に利用できる。
【符号の説明】
【００１４】    １  殺菌用粒体
２  フィルター３
３  フィルター２
４  フィルター１
５  フィルター押え
６  モーター
７  吐出口
８  電源コード
９  電動機付ポンプ室
１０  外装
１１  吸盤
１２  蓋
１３  本体
１４  浴槽内面
１５  吸込み口
１６  ホース
１７  洗濯機
１８  洗濯水
１９  濾材収納室
【図１】
0003189793.tif 000003
【図２】
0003189793.tif 000004
【図３】
0003189793.tif 000005